(57)【要約】【課題】  夜間において車室内に独特の高級感を持たせることのできるイルミネーション付きインストルメントパネルを提供する。【解決手段】  車幅方向に沿ってインストルメントパネルの中央部にＵ字型のイルミネーション９が設けられ、このイルミネーション９には板状リブ１７Ａ〜１７Ｅを有するチャンバ１４が設けられている。チャンバ１４の上部には取付穴１５に光源が取り付けられている。板状リブ１７Ａ〜１７Ｅの表面、およびチャンバ１４の内壁面は青色に着色されており、前記光源からの光は、板状リブ１７Ａ〜１７Ｅやチャンバ１４の内壁面で反射し、青色の間接光となってイルミネーション９の下方に出射する。【選択図】        図７
2006096155.tif 000002
【特許請求の範囲】
【請求項１】
車幅方向に沿ってインストルメントパネルの中央部にイルミネーションが設けられ、該イルミネーションは、前記インストルメントパネルの中央部下方を間接照明する間接照射部を有することを特徴とするイルミネーション付きインストルメントパネル。
【請求項２】
前記イルミネーションは、前記間接照明部とは別に、光源からの光で前記インストルメントパネルの中央部下方を直接照明する直接照射部も有することを特徴とする請求項１に記載のイルミネーション付きインストルメントパネル。
【請求項３】
前記イルミネーションは、車室側に向けて配置された湾曲部分と、該湾曲部分両側の直線部分とからなるＵ字型に形成され、
前記湾曲部分には前記間接照明部と前記直接照明部が、前記直線部分には前記間接照明部がそれぞれ設けられていることを特徴とする請求項２に記載のイルミネーション付きインストルメントパネル。
【請求項４】
前記間接照明部は光源が設けられたチャンバ内に複数の反射板を有し、前記光源からの光を前記反射板と前記チャンバの内壁面とで反射させてから、間接光として出射することを特徴とする請求項１又は３に記載のイルミネーション付きインストルメントパネル。
【請求項５】
前記チャンバの内壁と前記反射板は着色されていることを特徴とする請求項４に記載のイルミネーション付きインストルメントパネル。
【発明の詳細な説明】
【技術分野】
【０００１】
本発明は、インストルメントパネルの中央部にイルミネーションが設けられたイルミネーション付きインストルメントパネルに関する。
【背景技術】
【０００２】
一般に、自動車等の車両には、車室内前部にインストルメントパネルが設置されている。また、ドライバ席と助手席との間にはセンタコンソールが設置され、このセンタコンソールの前端部はインストルメントパネル中央下部に連結され固定されている。
【０００３】
このような構成の車両においては、インストルメントパネルの中央部に開口部が設けられ、この開口部内にオーディオやヒータコントローラ等の電装機器が取り付けられている（例えば、特許文献１参照）。
【特許文献１】特開２００３−３３５１５０号公報
【発明の開示】
【発明が解決しようとする課題】
【０００４】
しかしながら、上記従来の技術では、インストルメントパネル中央下部とセンタコンソールの前端部との連結部分をムラ無く一様に照明するようにしたものはなく、夜間における独特の高級感を車室内に作り出すという点では充分ではない。
【０００５】
本発明の課題は、夜間における独特の高級感を車室内に作り出すことのできるイルミネーション付きインストルメントパネルを提供することにある。
【課題を解決するための手段】
【０００６】
上記課題を解決するために、請求項１に記載の発明は、車幅方向に沿ってインストルメントパネルの中央部にイルミネーションが設けられ、該イルミネーションは、前記インストルメントパネルの中央部下方を間接照明する間接照射部を有することを特徴としている。
【０００７】
上記構成によれば、間接照明部によってインストルメントパネルの中央部下方を間接光でムラ無く照明することができるので、夜間における独特の高級感を車室内に作り出すことが可能となる。
【０００８】
請求項２に記載の発明は、請求項１において、前記イルミネーションは、前記間接照明部とは別に、光源からの光で前記インストルメントパネルの中央部下方を直接照明する直接照射部も有することを特徴としている。
【０００９】
上記構成によれば、間接光と直接光とが交じり合った光でインストルメントパネルの中央部下方を照明することにより、明る過ぎず又暗過ぎないバランスの良い照明を実現することができる。
【００１０】
請求項３に記載の発明は、請求項２において、前記イルミネーションは、車室側に向けて配置された湾曲部分と、該湾曲部分両側の直線部分とからなるＵ字型に形成され、前記湾曲部分には前記間接照明部と前記直接照明部が、前記直線部分には前記間接照明部がそれぞれ設けられていることを特徴としている。
【００１１】
上記構成によれば、イルミネーションの湾曲部分からは、請求項２のように間接光と直接光とが交じり合った光で照明が行われ、湾曲部分両側の直線部分からは間接光だけによるソフトな照明が行われる。
【００１２】
請求項４に記載の発明は、請求項１又は３において、前記間接照明部は光源が設けられたチャンバ内に複数の反射板を有し、前記光源からの光を前記反射板と前記チャンバの内壁面とで反射させてから、間接光として出射することを特徴としている。
【００１３】
上記構成によれば、光源（この光源は着色されていない裸の光源である）からの光は反射板とチャンバの内壁とで反射された後に、間接光となってインストルメントパネルの中央部下方に出射する。
【００１４】
請求項５に記載の発明は、請求項４において、前記チャンバの内壁と前記反射板は着色されていることを特徴としている。
【００１５】
チャンバの内壁と反射板をある色（例えば青色）で着色しておけば、間接照明部から出射される間接光は、着色されたチャンバの内壁や反射板と同じ色（青色）となる。
【発明の効果】
【００１６】
本発明によれば、間接照明部からの間接照明光によって、インストルメントパネルの中央部の下方を照明することができ、夜間における独特の高級感を車室内に作り出すことができる。
【発明を実施するための最良の形態】
【００１７】
以下、本発明の実施例を図面に従って説明する。
【実施例】
【００１８】
図１は、車室内前部に設置されるインストルメントパネルの斜視図である。このインストルメントパネル１の左右（車幅方向）中央部には、温度や湿度が調和された空気を車室内に吹き出すための左右一対のセンタ吹出し口２Ｌ，２Ｒが、また左右両端部には同様のサイド吹出し口３Ｌ，３Ｒがそれぞれ取り付けられている。
【００１９】
インストルメントパネル１には、車室内から見て正面右側に、各種のメータが取り付けられたコンビネーションメータ４が設けられ、このコンビネーションメータ４の下側には、ステアリングシャフト（図示省略）が配置されるステアリングシャフト収容部５が設けられている。また、インストルメントパネル１には、車室内から見て正面左側下部にグローブボックス６が設けられている。
【００２０】
さらに、インストルメントパネル１には、センタ吹出し口２Ｌ，２Ｒの下側に、オーディオまたはヒーターコントローラ等の電装機器７が取り付けられている。そして、電装機器７の下側には、イルミネーションユニット８が設けられている。
【００２１】
図２および図３はイルミネーションユニット８を示しており、図２はイルミネーションユニット８を左斜め上方から見たときの斜視図、図３はイルミネーションユニット８を左斜め下方から見たときの斜視図である。
【００２２】
イルミネーションユニット８は、図２および図３に示すように、イルミネーション９、カバー部材１０、および基台１１から構成されている。なお、イルミネーション９、カバー部材１０、および基台１１はそれぞれ合成樹脂で形成されている。
【００２３】
図４〜図８はイルミネーション９の詳細構成を示しており、図４は正面図、図５は左側面図、図６は右側面図、図７はイルミネーション９を左斜め上方から見たときの斜視図、図８はイルミネーション９を右斜め上方から見たときの斜視図である。
【００２４】
イルミネーション９は上方から見てＵ字型に形成され、そのＵ字型のうち湾曲部分９Ａが車室側に向けて配置される。また、湾曲部分９Ａの左右両側には直線部分９Ｂ，９Ｃが設けられ、これら直線部分９Ｂ，９Ｃは横から見ると台形状に形成されている。すなわち、直線部分９Ｂには台形状部１２が、直線部分９Ｃには台形状部１３がそれぞれ設けられている。本実施例では、台形状部１２の上部先端は台形状部１３の上部先端よりも高さが高くなっている。
【００２５】
左側の台形状部１２には、図５および図７に示すように、直方体の空間からなるチャンバ１４が設けられている。このチャンバ１４の上部には取付穴１５（図７参照）に光源１６が取り付けられる。チャンバ１４は外側に開口部１４Ａを有し、内側(奥側)に縦壁１４Ｂが設けられている。なお、光源１６は着色されていない裸の電球である。
【００２６】
縦壁１４Ｂには正方形をなした５つの板状リブ１７Ａ〜１７Ｅが水平に固定されている。板状リブ１７Ａ，１７Ｂは光源１６の直ぐ下側に、板状リブ１７Ｃ，１７Ｄは板状リブ１７Ａ，１７Ｂの直ぐ下側に、板状リブ１７Ｅは板状リブ１７Ｃ，１７Ｄの直ぐ下側にそれぞれ配置されている。板状リブ１７Ａ，１７Ｂ、板状リブ１７Ｃ，１７Ｄ、および板状リブ１７Ｅは光源１６を通る垂線（図示省略）に関して対称に配置され、且つ板状リブ１７Ａ，１７Ｂ間の間隔が板状リブ１７Ｃ，１７Ｄ間の間隔よりも広くなっている。また、縦壁１４Ｂには、板状リブ１７Ｅの下側に横断面Ｔ字型の補強部材１８が固定されている。
【００２７】
本実施例では、縦壁１４Ｂを含めてチャンバ１４の内壁面、および板状リブ１７Ａ〜１７Ｅの表面は青色に着色されている。
【００２８】
右側の台形状部１３には、図６および図８に示すように、直方体の空間からなるチャンバ２０が設けられている。このチャンバ２０の上部には取付穴２１（図８参照）に光源２２が取り付けられる。チャンバ２０は外側に開口部２０Ａを有し、内側(奥側)に縦壁２０Ｂが設けられている。
【００２９】
縦壁２０Ｂには正方形をなした３つの板状リブ２３Ａ〜２３Ｃが固定されている。板状リブ２３Ａ，２３Ｂは光源２２の直ぐ下側に、板状リブ２３Ｃは板状リブ２３Ａ，２３Ｂの直ぐ下側にそれぞれ配置されている。板状リブ２３Ａ，２３Ｂおよび板状リブ２３Ｃは光源２２を通る垂線（図示省略）に関して対称に配置され、且つ板状リブ２３Ａ，２３Ｂが逆ハの字状に、板状リブ２３Ｃが水平に配置されている。また、縦壁２０Ｂには、板状リブ２３Ｃの下側に横断面Ｔ字型の補強部材２４が固定されている。
【００３０】
本実施例では、縦壁２０Ｂを含めてチャンバ２０の内壁面、および板状リブ２３Ａ〜２３Ｃの表面は青色に着色されている。
【００３１】
図９は図２のＡ−Ａ線に沿った断面図である。図９に示すように、イルミネーション９の湾曲部分９Ａには、上部に略半球状の上壁２５Ａを、側部に上壁２５Ａに繋がった縦壁２５Ｂをそれぞれ有するチャンバ２５が設けられている。チャンバ２５には、取付穴２６（図２および図７参照）に光源２７が取り付けられる。そして、光源２７の横方には板状リブ２８が配置されており、この板状リブ２８は上壁２５Ａに一体的に形成されている。
【００３２】
本実施例では、上壁２５Ａと縦壁２５Ｂを含めてチャンバ２５の内壁面、および板状リブ２８の表面は青色に着色されている。
【００３３】
また、イルミネーション９には湾曲部分９Ａの底面に複数のスリット２９Ａが、直線部分９Ｂの底面に複数のスリット２９Ｂがそれぞれ直列に配列されている。図示してないが直線部分９Ｃの底面にも、同様に、複数のスリットが直列に配列されている。
【００３４】
カバー部材１０は、図２および図３に示すように、幅が両端で広く中間部で狭く形成された板状部材であり、イルミネーション９の外周を覆っている。これにより、イルミネーション９に設けられたチャンバ１４の開口部１４Ａおよびチャンバ２０の開口部２０Ａがそれぞれ塞がれている。なお、カバー部材１０のうち、チャンバ１４の開口部１４Ａを塞ぐ部分の内表面およびチャンバ２０の開口部２０Ａを塞ぐ部分の内表面は青色に着色されている。
【００３５】
イルミネーション９は基台１１の上面に載置され、この基台１１の正面側には図示しないセンタコンソールの前端部が連結される。基台１１はイルミネーション９の形状に合わせて横断面が略Ｕ字型の周壁３０を有している。また、基台１１の周壁３０には、スリット２９Ａの下方位置に透明材料からなる矩形状のレンズ３１が設けられている。このレンズ３１の表面は梨地状に形成され、光源２７からの光を散乱させることができる。
【００３６】
イルミネーション９を基台１１の上面に載置したとき、複数のスリット２９Ａ，２９Ｂ等は基台１１の周壁３０よりも外側に位置する。そして、イルミネーション９に設けられたチャンバ１４，２０，２５はそれぞれスリット２９Ａ，２９Ｂ等を介して基台１１の周壁３０外側に連通している。すなわち、チャンバ１４は複数のスリット２９Ｂのうちチャンバ１４の下方に配列されたスリットを介して、チャンバ２５は複数のスリット２９Ａのうちチャンバ２５の下方に配列されたスリットを介してそれぞれ基台１１の周壁３０外側に連通している。チャンバ２０も複数のスリットのうちチャンバ２０の下方に配列されたスリットを介して基台１１の周壁３０外側に連通している。
【００３７】
なお、チャンバ１４において、光源１６、板状リブ１７Ａ〜１７Ｅ、およびチャンバ１４の内壁面等は間接照明部を構成し、チャンバ２０において、光源２２、板状リブ２３Ａ〜２３Ｃ、およびチャンバ２０の内壁面等も間接照明部を構成している。また、チャンバ２５において、光源２７、板状リブ２８、およびチャンバ２５の内壁面等は間接照明部を構成している。さらに、チャンバ２５においては、光源２７、およびレンズ３１は直接照明部を構成している。
【００３８】
次に、本実施例の作用について説明する。
【００３９】
チャンバ１４においては、光源１６からの光は、板状リブ１７Ａ〜１７Ｅの表面、およびチャンバ１４の内壁面（縦壁１４Ｂやカバー部材１０の内面等）で反射されて間接光となって、チャンバ１４下方のスリット２９Ｂから基台１１の周壁３０外側に照射される。
【００４０】
また、チャンバ２０においては、光源２２からの光は、板状リブ２３Ａ〜２３Ｃの表面、およびチャンバ２０の内壁面（縦壁２０Ｂやカバー部材１０の内面）で反射されて間接光となって、チャンバ２０下方のスリットから基台１１の周壁３０外側に照射される。
【００４１】
チャンバ２５においては、光源２７からの光は、板状リブ２８の表面、およびチャンバ２５の上壁２５Ａ内面または縦壁２５Ｂ内面で反射されて間接光となって、チャンバ２５下方のスリット２９Ａから基台１１の周壁３０外側に照射される。また、チャンバ２５においては、光源２７からの光はレンズ３１を介して直接光として基台１１の周壁３０外側に照射される。そして、スリット２９Ａからの間接光とレンズ３１からの直接光は交じり合って、基台１１の周壁３０外側を明るくする。これにより、明る過ぎず又暗過ぎないバランスの良い照明を実現することができる。
【００４２】
本実施例によれば、間接照明部によってインストルメントパネルの中央部下方を間接光でムラ無く照明することができるので、夜間において車室内に独特の高級感を持たせることが可能となる。
【００４３】
なお、本実施例では、チャンバ１４，２０，２５の内壁面や板状リブ１７Ａ〜１７Ｅ，２３Ａ〜２３Ｃ，２８を青色に着色したが、これに限定されることなく、当該箇所を他の色で着色することもできる。
【図面の簡単な説明】
【００４４】
【図１】車室内前部に設置されるインストルメントパネルの斜視図である。
【図２】イルミネーションユニットを斜め上方から見たときの斜視図である。
【図３】イルミネーションユニットを斜め下方から見たときの斜視図である。
【図４】イルミネーションの正面図である。
【図５】イルミネーションの左側面図である。
【図６】イルミネーションの右側面図である。
【図７】イルミネーションを左側斜め上方から見たときの斜視図である。
【図８】イルミネーションを右側斜め上方から見たときの斜視図である。
【図９】図２のＡ−Ａ線に沿った断面図である。
【符号の説明】
【００４５】
１  インストルメントパネル
８  イルミネーションユニット
９  イルミネーション
９Ａ  湾曲部分
９Ｂ，９Ｃ  直線部分
１０  カバー部材
１１  基台
１４，２０，２５  チャンバ
１６，２２，２７  光源
１７Ａ〜１７Ｅ，２３Ａ〜２３Ｃ，２８  板状リブ
２９Ａ，２９Ｂ  スリット
【図１】
2006096155.tif 000003
【図２】
2006096155.tif 000004
【図３】
2006096155.tif 000005
【図４】
2006096155.tif 000006
【図５】
2006096155.tif 000007
【図６】
2006096155.tif 000008
【図７】
2006096155.tif 000009
【図８】
2006096155.tif 000010
【図９】
2006096155.tif 000011